(57)【要約】【課題】中空柱内の回収しようとする均等配置冶具を固定した状態で、回収しようとする均等配置冶具を中空柱内から比較的簡単かつ効率的に回収することができる回収用冶具および回収用冶具を用いた回収方法を提供する。【解決手段】回収用冶具５０は、この保持部材５１と、保持部材５１に取り付けられて、均等配置冶具２０に設けられた磁気的に吸引可能な部材３０を磁気的に吸引することで均等配置冶具を保持部材５１側に固定する永久磁石５２と、保持部材５１に取り付けられて、保持部材５１を中空柱１内で降下させて均等配置冶具２０を固定後に保持部材５１と均等配置冶具２０を持ち上げて均等配置冶具２０を回収する操作部材５６を有する。【選択図】図２
2015034416.tif 000002
【特許請求の範囲】
【請求項１】
中空柱内の均等配置冶具を回収する回収用冶具であって、
保持部材と、
前記保持部材に取り付けられて、前記均等配置冶具に設けられた磁気的に吸引可能な部材を磁気的に吸引することで前記均等配置冶具を前記保持部材側に固定する永久磁石と、
前記保持部材に取り付けられて、前記保持部材を前記中空柱内で降下させて前記均等配置冶具を固定後に前記保持部材と前記均等配置冶具を持ち上げて前記均等配置冶具を回収する操作部材と、
を有することを特徴とする回収用冶具。
【請求項２】
前記保持部材は、貫通穴を有しており、前記貫通穴には、前記均等配置冶具を前記中空柱の軸方向に沿って上下に案内するためのガイド棒を通すことを特徴とする請求項１に記載の回収用冶具。
【請求項３】
複数の前記永久磁石が、前記保持部材の外側において、同じ角度をおいて側方に突出して設けられていることを特徴とする請求項１または２に記載の回収用冶具。
【請求項４】
前記永久磁石は、リング状に形成されており、前記保持部材の外側において、側方に突出して設けられていることを特徴とする請求項１または２に記載の回収用冶具。
【請求項５】
中空柱内の均等配置冶具を回収する回収用冶具を用いた回収方法であって、
前記回収用冶具の保持部材の貫通穴には、前記均等配置冶具を前記中空柱の軸方向に沿って上下に案内するためのガイド棒を挿入して、前記保持部材を前記ガイド棒に沿って下降させ、
前記保持部材に設けられている永久磁石により、前記均等配置冶具に設けられた磁気的に吸引可能な部材を磁気的に吸引して前記保持部材側に固定し、
前記保持部材に取り付けられている操作部材を引き上げて前記中空柱から前記均等配置冶具を回収することを特徴とする回収用冶具を用いた回収方法。
【発明の詳細な説明】
【技術分野】
【０００１】
本発明は、例えばコンクリート製電柱や鋼管柱等のような中空柱の補強作業中等において、中空柱内の均等配置冶具を回収する際に用いる回収用冶具および回収用冶具を用いた回収方法に関する。
【背景技術】
【０００２】
コンクリート製電柱や鋼管柱等のような中空柱は、全長が例えば十数メートルほどあり、その下部が地中に埋設されて立設されている。中空柱の地中部分と地上に立設された地上部分との境の地際を補強するために、図９に示すように、その地際を挟んで地上数メートル程度の所まで補強用棒状部材である複数本のアラミドロッド１２１やＰＣ鋼線１２３を、中空柱１０１の内部に配設するとともに、これらの補強用棒状部材の間にはモルタル１２５を充填することで、中空柱１０１が補強されている。
【０００３】
複数本のアラミドロッド１２１やＰＣ鋼線１２３は、中空柱１０１の内周面に沿って均等かつ交互に配設されるように、ロッド配置用スペーサである均等配置冶具２０を使用している。アラミドロッド１２１やＰＣ鋼線１２３は、この均等配置冶具２０の周縁部に形成された複数の孔であるアラミドロッド保持部およびＰＣ鋼線保持部にそれぞれ挿通されて保持される。
【０００４】
なお、この均等配置冶具２０は、その中央に形成された中央孔に対して、中空柱１０１の中心軸に配設されるガイド棒５が貫通して中空柱１０１内の中心に配設されるとともに、複数の均等配置冶具２０が、中空柱１０１の上下方向に所定の間隔で複数配設されている。
【０００５】
中空柱１０１の補強作業では、上述したように、複数の均等配置冶具２０を使用するが、この均等配置冶具２０が補強作業の途中で中空柱１０１内の下方にあって、所定の状態に設定されないことがある。このように所定の状態に設定されない中空柱１０１内の均等配置冶具２０は、補強作業に支障を来すものであるため、中空柱１０１内の下方から回収することが必要であるが、中空柱１０１内の下方の均等配置冶具２０を中空柱１０１の上方から回収することは、かなり難しいという問題がある。
【０００６】
特に、中空柱１０１の補強作業中に、均等配置冶具２０が中空柱１０１内の下方で、この下方の補強用棒状部材などに引っ掛かったような場合において、補強作業がモルタル１２５をまだ充填する前の作業段階であった時には、アラミドロッド１２１やＰＣ鋼線１２３などの複数の補強用棒状部材はモルタル１２５でまだ固められていない。
【０００７】
このため、これらの複数の補強用棒状部材は、中空柱１０１の上方からロープなどにより引っ張り上げることを行う。すなわち、この作業時点では、複数の補強用棒状部材が、既に複数の補強用棒状部材の下方に配設されている均等配置冶具２０のアラミドロッド保持部やＰＣ鋼線保持部に保持されている場合には、中空柱１０１の上端の開口部からロープを中空柱１０１内の下方に投入し、このロープの下端を中空柱１０１の地上部分の下端部寄りに形成されている側部開口１０１ｃ等において均等配置冶具２０または補強用棒状部材に結び付けるなどして、複数の補強用棒状部材を中空柱１０１の上方から引っ張り上げる。これにより、補強用棒状部材の途中などに引っ掛かっている均等配置冶具２０を回収することも可能であるが、このように複数の補強用棒状部材を中空柱１０１の上方からロープなどで引っ張り上げる作業は、その重さや作業現場の足場の悪さなどを考慮すると、かなり難しく、時間もかかり、非効率的であるという問題がある。
【先行技術文献】
【特許文献】
【０００８】
【特許文献１】特開２００６−２８３３９２号公報
【特許文献２】特開２００７−７７６１３号公報
【発明の概要】
【発明が解決しようとする課題】
【０００９】
本発明は、上記に鑑みてなされたもので、その目的とするところは、中空柱内の回収しようとする均等配置冶具を固定した状態で、回収しようとする均等配置冶具を中空柱内から比較的簡単かつ効率的に回収することができる回収用冶具および回収用冶具を用いた回収方法を提供することにある。
【課題を解決するための手段】
【００１０】
上記課題を達成するため、請求項１に記載の回収用冶具は、中空柱内の均等配置冶具を回収する回収用冶具であって、保持部材と、前記保持部材に取り付けられて、前記均等配置冶具に設けられた磁気的に吸引可能な部材を磁気的に吸引することで前記均等配置冶具を前記保持部材側に固定する永久磁石と、前記保持部材に取り付けられて、前記保持部材を前記中空柱内で降下させて前記均等配置冶具を固定後に前記保持部材と前記均等配置冶具を持ち上げて前記均等配置冶具を回収する操作部材と、を有することを要旨とする。
【００１１】
請求項１に記載の回収用冶具では、回収用冶具は、中空柱内の回収しようとする均等配置冶具を固定した状態で、回収しようとする均等配置冶具を中空柱内から比較的簡単かつ効率的に回収することができる。
【００１２】
請求項２に記載の回収用冶具では、前記保持部材は、貫通穴を有しており、前記貫通穴には、前記均等配置冶具を前記中空柱の軸方向に沿って上下に案内するためのガイド棒を通す。
【００１３】
請求項２に記載の回収用冶具では、保持部材は、ガイド棒を用いて中空柱の軸方向に沿って均等配置冶具へ案内できるので、保持部材は、均等配置冶具を、永久磁石を用いて確実に固定することができる。
【００１４】
請求項３に記載の回収用冶具では、複数の前記永久磁石が、前記保持部材の外側において、同じ角度をおいて側方に突出して設けられている。
【００１５】
請求項３に記載の回収用冶具では、保持部材は、均等配置冶具を、複数の永久磁石を用いて、確実に固定することができる。
【００１６】
請求項４に記載の回収用冶具では、前記永久磁石は、リング状に形成されており、前記保持部材の外側において、側方に突出して設けられている。
【００１７】
請求項４に記載の回収用冶具では、保持部材は、均等配置冶具を、リング状の永久磁石を用いて、確実に固定することができ、複数の永久磁石を用いるに比べて、部品点数を削減できる。
【００１８】
請求項５に記載の回収用冶具を用いた回収方法は、中空柱内の均等配置冶具を回収する回収用冶具を用いた回収方法であって、前記回収用冶具の保持部材の貫通穴には、前記均等配置冶具を前記中空柱の軸方向に沿って上下に案内するためのガイド棒を挿入して、前記保持部材を前記ガイド棒に沿って下降させ、前記保持部材に設けられている永久磁石により、前記均等配置冶具に設けられた磁気的に吸引可能な部材を磁気的に吸引して前記保持部材側に固定し、前記保持部材に取り付けられている操作部材を引き上げて前記中空柱から前記均等配置冶具を回収することを要旨とする。
【００１９】
請求項５に記載の回収用冶具を用いた回収方法では、中空柱内の回収しようとする均等配置冶具を固定した状態で、回収しようとする均等配置冶具を中空柱内から比較的簡単かつ効率的に回収することができる。
【図面の簡単な説明】
【００２０】
【図１】本発明の回収用冶具の実施形態を用いて回収しようとする均等配置冶具を有するコンクリート製電柱や鋼管柱等のような中空柱の例を示す図である。
【図２】本発明の第１実施形態の回収用冶具と均等配置冶具の構造例を示す斜視図である。
【図３】図２の回収用冶具と均等配置冶具の構造例を示す平面図である。
【図４】図２の回収用冶具を用いて均等配置冶具を回収する状態を示す正面図である。
【図５】本発明の第２実施形態の回収用冶具を示す図である。
【図６】本発明の第３実施形態の回収用冶具を示す図である。
【図７】本発明の第４実施形態の回収用冶具を示す図である。
【図８】本発明の第５実施形態の回収用冶具を示す図である。
【図９】中空柱を複数の補強用棒状部材で補強した状態を示す図である。
【発明を実施するための形態】
【００２１】
以下、図面を用いて、本発明を実施するための形態(以下、実施形態と称する)を説明する。
【００２２】
（第１実施形態）
図１は、本発明の回収用冶具の実施形態を用いて回収しようとする均等配置冶具を有するコンクリート製電柱や鋼管柱等のような中空柱１の例を示している。
【００２３】
中空柱１は、全長が例えば十数メートルほどあり、その下部が地中に埋設されて立設されている。中空柱１は、例えばコンクリート製柱（例えば、テーパの有るコンクリート製電柱）であるが、これに限らずテーパの無いコンクリート製電柱や鋼管柱であっても良い。
【００２４】
中空柱１の地中部分と地上に立設された地上部分との境の地際を補強するために、その地際を挟んで地上数メートル程度の所まで補強用棒状部材である複数本のアラミドロッド１３と複数本のＰＣ鋼線１４を用いている。これらのアラミドロッド１３とＰＣ鋼線１４は、中空柱１の内部に配設するとともに、これらの補強用棒状部材の間にモルタル（図示を省略）を充填して補強される。中空柱１は、地際の上側の部分に側部開口１Ｒを有している。
【００２５】
複数本のアラミドロッド１３やＰＣ鋼線１４は、中空柱１の内周面に沿って均等かつ交互に配設されるように、ロッド配置用スペーサである均等配置冶具２０を使用している。アラミドロッド１３やＰＣ鋼線１４は、この均等配置冶具２０の周縁部に形成された複数の孔であるアラミドロッド保持部２２およびＰＣ鋼線保持部２３に、それぞれ挿通されることで保持される。
【００２６】
この均等配置冶具２０は、その中央に中央孔部１０を有している。ガイド棒５は、各均等配置冶具２０の中央孔部１０に通すことで、各均等配置冶具２０は、中空柱１の中心軸に配設されるとともに、各均等配置冶具２０は、中空柱１の上下方向に所定の間隔で配設されている。
【００２７】
中空柱１の補強作業では、上述したように、複数本の均等配置冶具２０を使用するが、この均等配置冶具２０が、補強作業の途中で中空柱１内の下方において、所定の状態に設定されないことがある。このように所定の状態に設定できなかった均等配置冶具２０は、中空柱１内では、中空柱１の補強作業には支障を来すものであるため、中空柱１内の下方から中空柱１の外に回収することが必要である。そこで、所定の状態に設定できなかった均等配置冶具２０は、図２に示すような回収用冶具５０を用いて中空柱１内から引っ張り上げて回収する。
【００２８】
次に、図２から図４を参照して、回収用冶具５０と均等配置冶具２０の構造例を、詳しく説明する。
【００２９】
図２は、回収用冶具５０と均等配置冶具２０の構造例を示す斜視図である。図３は、回収用冶具５０と均等配置冶具２０の構造例を示す平面図である。図４は、回収用冶具５０を用いて均等配置冶具２０を回収する状態を示す正面図である。
【００３０】
まず、図２と図３を参照して、均等配置冶具２０の構造例を説明する。
【００３１】
図２と図３に示すように、均等配置冶具２０は、例えばプラスチックより円形状に作られている。均等配置冶具２０は、リング状の外郭部２１と、複数のアラミドロッド保持部２２と、複数のＰＣ鋼線保持部２３と、中央孔部１０を有している。図１に示すように、アラミドロッド保持部２２は、アラミドロッド１３を通すための挿入部の例であり、ＰＣ鋼線保持部２３は、ＰＣ鋼線１４を通すための挿入部の例である。中央孔部１０には、ガイド棒５を通す。この中央孔部１０は、ＰＣ鋼線保持部２３に対してリブ２５により保持されている。
【００３２】
図２に示すように、４つのアラミドロッド保持部２２は、外郭部２１の内面２４において、９０度毎に内側に突出して形成されている。４つのＰＣ鋼線保持部２３が、外郭部２１の内面２４において、９０度毎に内側に突出して形成されている。４つのＰＣ鋼線保持部２３は、両隣のアラミドロッド保持部２２，２２の間において、両隣のアラミドロッド保持部２２，２２の中間の位置に設けられている。これにより、アラミドロッド１３とＰＣ鋼線１４は、配列角度４５度毎に、交互に、外郭部２１の内面２４において、中空柱１の空洞の周方向に沿って均等に配置することができる。このように、複数のアラミドロッド１３と複数の鋼線１４は、均等配置冶具２０により均等に配置することで、中空柱１を周方向に均一に補強できる。
【００３３】
図２に示すように、均等配置冶具２０の外郭部２１の外面には、好ましくはプラスチック製のシートあるいはプラスチック製のテープ布、例えばアラミドテープ布２６が好ましくは２重、３重に巻かれて設けられている。アラミドテープ布２６は、アラミドシートであり、均等配置冶具２０の外郭部２１が外力を受けて割れてしまうのを防止するために設けられている。
【００３４】
均等配置冶具２０は、４つの磁気的に吸引可能な部材３０を有しており、これらの磁気的に吸引可能な部材３０は、例えばリブ２５とＰＣ鋼線保持部２３の付近に固定されている。各磁気的に吸引可能な部材３０は、磁気的な吸引が可能な金属材料、例えば鉄製の円形状の板材であり、均等配置冶具２０の周方向に沿って９０度毎に配置されている。
【００３５】
次に、図２と図３を参照して、回収用冶具５０の構造を説明する。
【００３６】
回収用冶具５０は、保持部材５１と、この保持部材５１に固定された４つの円柱型の永久磁石５２を有している。保持部材５１は、例えば円筒状の部材であり、プラスチックやセラミックスにより作られている。保持部材５１には、円形の貫通穴５９が軸方向に形成されている。この貫通穴５９には、ガイド棒５を通すことができる。保持部材５１は、例えば分割部材５３を複数個積み重ねて相互に例えばネジ５４により固定することで構成されているが、これに限らず１つの円筒状部材で作っても良い。
【００３７】
保持部材５１の周囲面の下部には、４つの永久磁石５２が、半径方向に突出するようにして周方向に沿って９０度毎に設けられている。均等配置冶具２０の例えば円形状の磁気的に吸引可能な部材３０は、１つの円周上に沿って配置されており、各永久磁石５２は、各磁気的に吸引可能な部材３０に位置的に対応している。これにより、各永久磁石５２は、図２の矢印で示すように、均等配置冶具２０の対応する位置にある磁気的に吸引可能な部材３０を磁気的に吸引することができるので、均等配置治具２０は保持部材５０側に着脱可能に固定することができる。この永久磁石５２の磁気吸引力は、均等配置冶具２０を確実に保持しながら、Ｚ方向に引き上げることができるのに十分な力である。
【００３８】
保持部材５１の周囲面の上部には、取付け具５５が固定されている。この取り付け具５５は、例えばネジであり、この取付け具５５には、例えば線状の操作部材としてのロープ５６の端部が固定されている。このロープ５６は、回収用冶具５０を中空柱１内で降ろして均等配置治具２０を保持部材５０側に固定後に、回収用冶具５０とともに均等配置冶具２０をＺ方向に引き上げるために用いられる操作部材の一例である。
【００３９】
次に、上述した回収用冶具５０を用いて、中空柱１内に落とした均等配置冶具２０を持ち上げて、中空柱１の上方から回収する回収方法について説明する。
【００４０】
まず、図１において、均等配置冶具２０がガイド棒５に挿通された状態で、中空柱１の下方に落ちてしまったものとする。この状態では、ガイド棒５は均等配置冶具２０の中央孔部１０に通っており、均等配置冶具２０が中空柱１内に存在しているが、アラミドロッド１３とＰＣ鋼線１４等を中空柱１内には無い。
【００４１】
このように、ガイド５に挿通された均等配置冶具２０が中空柱１内に存在している状態において、まず作業者は、図２と図３（Ｂ）に示す回収用冶具５０の保持部材５１の貫通穴５９にガイド棒５の上端を通して、ロープ５６を用いて回収用冶具５０の保持部材５１をガイド棒５に沿って中空柱１の内部でつり下げながら下降させる。
【００４２】
このように、回収用冶具５０を中空柱１内でガイド棒５に沿って吊り下げる際には、作業者は、ロープ５６を用いて少しずつ下げていくので、回収用冶具５０が落下することなく、スムーズに回収用冶具５０を中空柱１の内部で下げていくことができる。これにより、図４に示すように、回収用冶具５０の保持部材５１の下端部は、引き上げようとする均等配置冶具２０の上面側に載せて、保持部材５１の下降を停止させる。
【００４３】
図４に示すように、保持部材５１が均等配置冶具２０に載った状態では、保持部材５１と均等配置冶具２０が、ガイド棒５によって相互の位置決めが行われており、回収用冶具５０の各永久磁石５２が、均等配置冶具２０側の対応する磁気的に吸引可能な部材３０を磁気的に吸引して、保持部材５１に対して均等配置冶具２０を容易にしかも確実に固定することができる。
【００４４】
次に、作業者は、ロープ５６を図４に示すＺ方向に引き上げて、均等配置冶具２０が図１の中空柱１の最上部の開口部あるいは中空柱１の側部開口１Ｒの近くまで来たら、均等配置冶具２０を、中空柱１の最上部の開口部あるいは中空柱１の側部開口１Ｒから、手を伸ばして回収することができる。
【００４５】
このように、本発明の第１実施形態における上述した回収用冶具５０とこの回収用冶具５０を用いた均等配置冶具２０の回収方法では、作業者は、ロープ５６を用いて、回収用冶具５０をガイド棒５に沿って引き上げ対象である均等配置冶具２０にまで下げて載せるだけで、回収用冶具５０の各永久磁石５２が均等配置冶具２０の対応する磁気的に吸引可能な部材３０を磁気的に吸引して固定することができる。
【００４６】
そして、作業者は、ロープ５６をＺ方向に引き上げるだけで、均等配置冶具２０を中空柱１の内部から取り除くことができる。これにより、均等配置冶具２０を中空柱１の内部から回収する作業は、比較的簡単な操作により大きな力を必要とせずに、比較的短時間で、効率良く行うことができる。回収用冶具５０を用いることで、回収用冶具５０には中空柱１内の均等配置冶具２０を磁気的に吸引した状態で固定して、均等配置冶具２０を中空柱１内から比較的簡単かつ効率的に回収することができる。
【００４７】
（第２実施形態）
次に、図５を参照して本発明の第２実施形態を説明する。
【００４８】
図５に示す本発明の第２実施形態の均等配置冶具２０Ａと回収用冶具５０Ａが、図２から図４に示す本発明の第１実施形態の均等配置冶具２０と、回収用冶具５０と同様な個所には、同じ符号を記してその説明を省略する。本発明の第２実施形態の均等配置冶具２０Ａと回収用冶具５０Ａの作用効果は、図２から図４に示す本発明の第１実施形態の均等配置冶具２０と回収用冶具５０の作用効果と同様である。
【００４９】
図５に示す本発明の第２実施形態の均等配置冶具２０Ａと回収用冶具５０Ａが、異なるのは、次の点である。
【００５０】
図５に示す均等配置冶具２０Ａは、３つのリブ２５と、３つの磁気的に吸引可能な部材３０を有している。リブ２５とアラミドロッド保持部２２の間と、リブ２５とＰＣ鋼線保持部２３の間には、それぞれ磁気的に吸引可能な部材３０が設けられている。回収用冶具５０Ａの保持部材５１には、３つの永久磁石５２が、周方向について１２０度毎に側方に突出して設けられている。これにより、回収用冶具５０の保持部材５１の各永久磁石５２は、対応する位置の磁気的に吸引可能な部材３０を磁気的に吸引することで、均等配置冶具２０Ａを保持部材５１側に固定することができる。
【００５１】
（第３実施形態）
次に、図６を参照して本発明の第３実施形態を説明する。
【００５２】
図６に示す本発明の第３実施形態の均等配置冶具２０Ｂと回収用冶具５０Ｂが、図２から図４に示す本発明の第１実施形態の均等配置冶具２０と、回収用冶具５０と同様な個所には、同じ符号を記してその説明を省略する。本発明の第３実施形態の均等配置冶具２０Ｂと回収用冶具５０Ｂの作用効果は、図２から図４に示す本発明の第１実施形態の均等配置冶具２０と回収用冶具５０の作用効果と同様である。
【００５３】
図６に示す本発明の第３実施形態の均等配置冶具２０Ｂと回収用冶具５０Ｂが、異なるのは、次の点である。
【００５４】
図６（Ｂ）に示す回収用冶具５０Ｂは、図２に示す回収用冶具５０と同様に４つの永久磁石５２を備えている。一方、図６（Ａ）に示す均等配置冶具２０Ｂは、図２の均等配置冶具２０に比べて直径が大きく、リブ２５Ｂ、２５Ｃと、アラミドロッド保持部２２と、ＰＣ鋼線保持部２３と、リング部分２５Ｇを有している。このリング部分２５Ｇは、円形状であり、中央孔部１０と、アラミドロッド保持部２２とＰＣ鋼線保持部２３と、の中間位置に形成されている。リング部分２５Ｇには、４つの磁気的に吸引可能な部材３０が、周方向について９０度毎に設けられている。
【００５５】
（第４実施形態）
次に、図７を参照して本発明の第４実施形態を説明する。
【００５６】
図７に示す本発明の第４実施形態の均等配置冶具２０Ｃと回収用冶具５０Ｃが、図２から図４に示す本発明の第１実施形態の均等配置冶具２０と、回収用冶具５０と同様な個所には、同じ符号を記してその説明を省略する。本発明の第４実施形態の均等配置冶具２０Ｃと回収用冶具５０Ｃの作用効果は、図２から図４に示す本発明の第１実施形態の均等配置冶具２０と回収用冶具５０の作用効果と同様である。
【００５７】
図７に示す本発明の第４実施形態の均等配置冶具２０Ｃと回収用冶具５０Ｃが、異なるのは、次の点である。
【００５８】
図７（Ｂ）に示す回収用冶具５０Ｃは、６つの永久磁石５２を有しており、各永久磁石５２は、周方向について６０度毎に側方に突出して設けられている。図７（Ｂ）に示す均等配置冶具２０Ｃは、図２の均等配置冶具２０に比べて直径が大きく、リブ２５Ｂ、２５Ｃと、アラミドロッド保持部２２と、ＰＣ鋼線保持部２３と、リング部分２５Ｈを有している。このリング部分２５Ｈは、円形状であり、中央孔部１０と、アラミドロッド保持部２２とＰＣ鋼線保持部２３と、の中間位置に形成されている。リング部分２５Ｈには、６つの磁気的に吸引可能な部材３０が、周方向について６０度毎に設けられている。
【００５９】
（第５実施形態）
次に、図８を参照して本発明の第５実施形態を説明する。
【００６０】
図８に示す本発明の第５実施形態の均等配置冶具２０と回収用冶具５０Ｄが、図２から図４に示す本発明の第１実施形態の均等配置冶具２０と、回収用冶具５０と同様な個所には、同じ符号を記してその説明を省略する。本発明の第５実施形態の均等配置冶具２０と回収用冶具５０Ｄの作用効果は、図２から図４に示す本発明の第１実施形態の均等配置冶具２０と回収用冶具５０の作用効果と同様である。
【００６１】
図８に示す本発明の第５実施形態の均等配置冶具２０と回収用冶具５０Ｄが、異なるのは、次の点である。
【００６２】
回収用冶具５０Ｄは、保持部材５１と、リング状の永久磁石５２Ｒを有している。この永久磁石５２Ｒは、保持部材５１の下部にサポート部材５２Ｓを用いて固定されている。永久磁石５２Ｒは、均等配置冶具２０の４つの磁気的に吸引可能な部材３０を磁気的に吸引することができる。このように、リング状の永久磁石５２Ｒを用いることにより、均等配置冶具２０の４つの磁気的に吸引可能な部材３０にそれぞれ対応して永久磁石を設ける必要が無くなるので、回収用冶具５０Ｄの部品点数を削減することができる。
【００６３】
ところで、上述した本発明の各実施形態では、図２に示す保持部材５１のロープ５６と、図５に示す保持部材５１のロープ５６と、図８に示す保持部材５１のロープ５６は、拐取用冶具５０を中空柱１内で上げ下げ操作するための操作部材の例である。しかしこれに限らず、これらのロープ５６の使用に追加して、あるいはこれらのロープ５６の使用に代えて、それぞれ図２、図５、図８に示す２本のワイヤー２００を用いて、回収用冶具５０，５０Ａ，５０Ｄの上下方向の操作作業に用いても良い。
【００６４】
２本のワイヤー２００とロープ５６の使用例としては、例えば、２本のワイヤー２００を用いて、中空柱１内で回収用冶具５０をガイド棒５に沿って降下させ、その後回収用冶具５０が均等配置冶具２０を固定すると、ロープ５６を用いて中空柱１内を引き上げるようにしてもよい。このロープ５６は、ワイヤー２００に比べて太い物を使用している。このように、２本のワイヤー２００を用いて、中空柱１内で回収用冶具５０をガイド棒５に沿って降下させることにより、保持部材５１が回転するのを防ぐことができる。このため、保持部材５１の各永久磁石５２は、均等配置冶具２０に設けられた各磁気的に吸引可能な部材３０に対して、正確に位置決めして磁気的に吸引して固定することができる。
【００６５】
本発明の実施形態の回収用冶具は、例えば中空柱１内の均等配置冶具２０を回収する回収用冶具５０である。回収用冶具５０は、この保持部材５１と、保持部材５１に取り付けられて、均等配置冶具２０に設けられた磁気的に吸引可能な部材３０を磁気的に吸引することで均等配置冶具２０を保持部材５１側に固定する永久磁石５２と、保持部材５１に取り付けられて、保持部材５１を中空柱１内で降下させて均等配置冶具２０を固定後に保持部材５１と均等配置冶具２０を持ち上げて均等配置冶具２０を回収する操作部材５６を有する。これにより、回収用冶具５０は、中空柱１内の回収しようとする均等配置冶具２０を保持部材側に固定した状態で、回収しようとする均等配置冶具２０を中空柱１内から比較的簡単かつ効率的に回収することができる。
【００６６】
この保持部材５１は、貫通穴５９を有しており、貫通穴５９には、均等配置冶具２０を中空柱１の軸方向に沿って上下に案内するためのガイド棒５を通す。これにより、保持部材５１は、ガイド棒５を用いて中空柱の軸方向に沿って均等配置冶具２０へ案内できるので、保持部材５１は、均等配置冶具２０を、永久磁石５２を用いて確実に固定することができる。
【００６７】
複数の永久磁石５２が、保持部材５１の外側において、同じ角度をおいて側方に突出して設けられている。これにより、保持部材５１は、均等配置冶具２０を、複数の永久磁石５２を用いて、確実に固定することができる。
【００６８】
永久磁石５２Ｒは、リング状に形成されており、保持部材５１の外側において、側方に突出して設けられている。これにより、保持部材５１は、均等配置冶具２０を、リング状の永久磁石５２Ｒを用いて、確実に固定することができ、複数の永久磁石を用いるに比べて、部品点数を削減できる。
【００６９】
また、本発明の実施形態の回収用冶具を用いた回収方法は、中空柱１内の均等配置冶具２０を回収する回収用冶具５０を用いた回収方法であって、回収用冶具５０の保持部材５１の貫通穴５９には、均等配置冶具２０を中空柱１の軸方向に沿って上下に案内するためのガイド棒５を挿入して、保持部材５１をガイド棒５に沿って下降させ、保持部材５１に設けられている永久磁石５２（５２Ｒ）により、均等配置冶具２０に設けられた磁気的に吸引可能な部材３０を磁気的に吸引して保持部材５１側に固定し、保持部材５１に取り付けられている操作部材５６を引き上げて中空柱１から均等配置冶具２０を回収する。これにより、回収用冶具５０を用いることで、回収用冶具は、中空柱１内の均等配置冶具２０を固定した状態で、比較的簡単かつ効率的に回収することができる。
【００７０】
なお、均等配置冶具２０に代えて、均等配置冶具２０Ａ、２０Ｂ、２０Ｃを用いることができる。回収用冶具５０に代えて、回収用冶具５０Ａ、５０Ｂ、５０Ｃ、５０Ｄを用いることができる。
【００７１】
以上、実施形態を挙げて本発明を説明したが、各実施形態は一例であり、特許請求の範囲に記載される発明の範囲は、発明の要旨を逸脱しない範囲内で種々変更できるものである。
【００７２】
例えば、中空柱の空洞内に設定される均等配置冶具の数は、中空柱１のサイズや種類に応じて、図１に示すように５つに限らず、４つ以下、あるいは６つ以上であっても良い。図示例の中空柱１は、例えば空洞を有するコンクリート製柱であるが、これに限らず鋼管柱であっても良い。
【００７３】
アラミドロッド１３の本数や鋼線１４の各本数や配置パターンは、図示例に限定されず、中空柱１の長さや直径に応じて任意に選択できる。回収用冶具５０の保持部材５１は、円筒状の部材であるが、これに限らず断面正方形や断面が５角形等の多角形であっても良い。
【符号の説明】
【００７４】
１      中空柱
５      ガイド棒
１０    均等配置冶具の中央孔部
２０    均等配置冶具
３０    磁気的に吸引可能な部材
５０    回収用冶具
５１    回収用冶具の保持部材
５２    永久磁石
５２Ｒ  リング状の永久磁石
５９    保持部材の貫通穴
５６    ロープ（操作部材の例）
【図１】
2015034416.tif 000003
【図２】
2015034416.tif 000004
【図３】
2015034416.tif 000005
【図４】
2015034416.tif 000006
【図５】
2015034416.tif 000007
【図６】
2015034416.tif 000008
【図７】
2015034416.tif 000009
【図８】
2015034416.tif 000010
【図９】
2015034416.tif 000011